(57)【要約】【課題】感染症の患者等の隔離、搬送を迅速、且つ、容易に行う軽量で折り畳み可能な患者搬送装置を提供することを目的とする。【解決手段】ビニル製のシ−ト状本体部と組立て式支柱と換気ユニットから構成され、本体部のベッド部の短辺側に、周縁部に支持フレ−ムを内設した端壁を延設し、長辺側に支柱挿入部を形成した天井部及び操作口を設けた側壁部を延設し、本体部外周部にファスナ−を取り付けるのである。コンパクトに折り畳み可能且つ軽量なため有事に備えて大量に保管、運搬できるうえ、組立てが現場で迅速に行え、汚染空気の漏出を最小限に押さえながら患者の搬送ができる。又、本体部に提げ手を取りつけると本装置単体で患者の搬送ができ、使用性が高まる。【選択図】  図１
2005013547.tif 000002
【特許請求の範囲】
【請求項１】
ビニル製のシ−ト状本体部と、組立て式支柱と、吸引装置と消毒装置及び電源装置から成る換気ユニットから構成され、本体部のベッド部の短辺側に、周縁部に支持フレ−ムを内設した端壁を延設し、長辺側に支柱挿入部を有する天井部及び操作口を設けた側壁部を延設し、
本体部外周部にファスナ−を取り付けたことを特徴とする患者搬送装置。
【請求項２】
ベッド部の外周縁にストレッチャ−等への取り付け手段又は提げ手、或はその両方を取り付けたことを特徴とする請求項１記載の患者搬送装置。
【発明の詳細な説明】
【０００１】
【発明の属する技術分野】
本発明は感染症の患者等を隔離又は搬送する際に使用する折り畳み可能な装置に関する。
【０００２】
【従来の技術】
従来の感染症の患者を隔離搬送する装置はベッド部とこれを覆うカプセル部とこれらを搭載、支持する本体部とを有し、換気手段を備えている。ベッド部は本体部に対し着脱可能に形成されておりカプセル部の主要部はベッド部から分離してスライド着脱させることができるものである。この装置によるとカプセル部がベッド部から分離可能であるため患者の運び込みや運び出しが容易であり、使用性が高まるとしている。（例えば特許文献１参照。）
【０００３】
【特許文献１】
特開２００２−１７７８４
【０００４】
【発明が解決しようとする課題】
感染症の患者を隔離、搬送する装置に必要とされる最も重要な条件は感染症の患者をいかに迅速に隔離するかにある。そのためには装置への患者の運び込みが容易であることは勿論、装置自体の保管、搬送及びメンテナンスが容易であることが重要条件となる。即ち、公共交通機関内で何らかの汚染が生じ、空港や駅構内で多数の感染者が生じた場合、多数の隔離、搬送装置が必要となる。このような事態に備えて多数の装置を保管、搬送するためには装置自体の嵩が低く、持ち運びが容易であること、又メンテナンスが容易であることが要求される。ところが、特許文献１記載の装置は患者を覆う部分がカプセル形状を有しており嵩が高く、広い保管場所を要する上、使用場所までの搬送にも大型車が必要となり、ましてや多数の装置を保管、搬送する場合は尚更である。
【０００５】
そこで、本発明ではベッド部及び患者を覆う天井部、側壁部分を全てビニルシ−ト製とし、長尺方向の支柱を組立て式とした、軽量で折り畳み可能な患者隔離、搬送装置を提供することを目的とする。
【０００６】
【課題を解決するための手段】
この装置は一枚のビニルシ−トから成る本体部、支柱となる組立て式パイプ及び換気ユニットから構成される。
【０００７】
患者が横臥する長方形のベッド部の両短辺側に周縁部に支持フレ−ムを内設した半円形の端壁を延設し、一の端壁に換気口を設け、換気ユニットと接続する。
【０００８】
支柱挿入部を長尺方向に三条形成したア−チ状天井部及び両側壁部をベッド部の長辺側に延設し、外周縁部全てにファスナ−を縫着するのである。
【０００９】
両側壁部には複数の操作口を形成する。
【００１０】
ベッド部の外周縁部にストレッチャ−又はベッド等に緊縛する取り付けベルトを縫着する。又、患者をマットレス等に横臥させたまま、本装置単体でも人の手で搬送できるように提げ手を数箇所、ベッド部外周縁に縫着する。
【００１１】
一枚のビニルシ−トからなる本体部を展開した状態でベッド部に直接、或はマットレス等を載置して感染症の患者を横臥させ、天井部及び両側壁部に形成した袋状の支柱挿入部に、現場で組立てた三本のパイプからなる支柱を挿入した後、端壁の外周縁に縫着したファスナ−と、天井部及び両側壁部を形成する長方形の短辺側外周縁に縫着したファスナ−を対応させて閉じ、最後に、天井部及び両側壁部を形成する長方形の長辺側外周縁に縫着したファスナ−を閉じ換気ユニットで装置内を負圧にし、ファスナ−閉鎖時の気密性を保つのである。
【００１２】
【発明の実施の形態】
次に本発明の最良の実施形態について図面を参照しながら説明する。
【００１３】
図１は本願装置の展開平面図、図２が組立て正面図、図３が同、右側面図、図４が同、斜視図である。
【００１４】
この装置は一枚のビニルシ−トから成る本体部、支柱となるパイプ及び換気ユニットから構成される。
【００１５】
患者隔離搬送装置本体部１は一枚の塩化ビニル製の透明シ−ト製である。
【００１６】
一年を通じて快適に使用するにはビニルシ−トの厚さは１．０３ｍｍが適当である。これ以上厚いと夏場に装置内の温度が高くなって患者に負担がかかり、これ以上薄いと耐久性に問題が生じるおそれがある。
【００１７】
患者が横臥するベッド部２は横５００ｍｍ、縦１８００ｍｍの長方形であって頭部側及び脚部側に６００ｍｍの高さを有する略半円状の端壁３、４を縫着する。
【００１８】
端壁３、４は１００ｍｍの立ち上りを有する略半円状であって袋状に形成された周縁部３ａ、４ａには予めフレ−ム材（図示せず）が嵌装してあり、定形性を有し、ア−チ天井を形成する。周縁部３ａ及び４ａの外縁にはファスナ−５及び６を縫着する。
【００１９】
脚部側端壁４には換気ユニットを接続する換気口７を設け金属製リング８で補強を図っている。
【００２０】
ベッド部２の一長辺２ｂ側に患者Ｐを覆う略長方形の天井部９及び両側壁部１０、１１を延設する。天井部９の中央と左右に一条ずつ、合計三条の袋状のパイプ挿入部１２、１３、１４を長尺方向に設ける。
【００２１】
側壁１０、１１にはそれぞれ三箇所の操作口を設ける。各操作口１５は図６に示すように放射状にスリットを切り込んだ円形のゴム１７を内外から金属製リング１６で挟持し、側壁１０、１１に取り付けたものである。
【００２２】
図６ａに示すように外側のリングの取り付けに使用するのは六角形ネジ１８だが内側には図６ｂに示すように丸ネジ１９を使用する。これは装置内で患者が暴れても角ばったネジ等で怪我をしないようにとの配慮である。
【００２３】
又、放射状の切り込みは二枚刃のカッタ−を使用する。スリットに適度な幅をもたせ、患者の治療等を行い易くするためである。又、操作口１５に長い手袋を装着してもよい。
【００２４】
天井部９及び両側壁１０、１１から成る略長方形の短辺側には、端壁外周縁に縫着したファスナ−５、６に対応するファスナ−２１、２２を縫着し、長辺側には両開きのファスナ−２３を縫着し、迅速なファスナ−の開閉を可能とする。
【００２５】
ファスナ−５、６、２１及び２２も両開きとしても良い。
【００２６】
ベッド部２の外周はテ−プ２０で補強すると共に、取り付けベルト２４を６箇所に縫着する。取り付けベルト２４には面状ファスナ−が縫着されており、ベルト２４を緊縛して、ストレッチャ−やベッドに装置を固定する。
【００２７】
更に、提げ手２５をベッド部２の外周に８箇所縫着する。ベッド部にマットレス等を載置して底部の定形性が保てる場合は、４人で提げ手を把持して患者を運ぶためである。これにより、ストレッチャ−等の台車がなくても患者の搬送が可能となりより迅速で柔軟な対応が可能となり、使用性が高まるのである。
【００２８】
次に本装置の使用方法及び組立て方法を説明する。
【００２９】
装置１は端壁３、４を内側に折り畳んだ状態で本体部を更に小さく折り畳んで保管されている。主要部が一枚のビニルシ−トで形成されており、後述するように支柱となるパイプが組立て式のため嵩が低く、コンパクトに収納できるのである。必要個数の装置を保管場所から取り出し、折り畳んだ状態で現場まで輸送するのである。その際専用のキャリ−バッグを使用しても便利である。
【００３０】
現場に運び込まれた本装置を展開し、ベッド部２に患者Ｐを横臥させる。天井部９及び側壁１０、１１を形成する支柱２６は三本のパイプ２７を組立てて形成する。支柱２６の両端はキャップ２８で覆う。ねじ込み組立てた支柱２６を袋状のパイプ挿入部１２、１３、１４に挿入する。
【００３１】
次に端壁３、４の外周縁のファスナ−５、６と天井部９及び側壁１０、１１から成る略長方形の短辺側のファスナ−２１、２２を対応させて閉じて装置を立体的に組立て、最後に長辺側のファスナ−２３を閉じる。ファスナ−の開閉を迅速に行うためファスナ−２３は両開きに縫着することが望ましい。
【００３２】
天井部９の支柱２９は両端をキャップで覆わず、端壁３、４の支持フレ−ムに取り付け具３０で固定する。
【００３３】
次に、換気手段について説明する。
【００３４】
図５が換気ユニット３０の正面図である。換気ユニット３０は空気の吸気口３１から装置内の空気を吸い込み、排気口３２から放気して陰圧にする構成であるが、接続を逆にして装置内を陽圧にすることも可能である。感染症患者等を搬送中は装置内空気を外部に漏出しないように陰圧にし、例えば火傷等の患者を搬送中は清浄空気を装置内に送風できるように陽圧にするのである。
【００３５】
換気ユニット３０はフレ−ム３６の中に、エアポンプ３３、バッテリ−３４及び消毒装置３５及びＡＣ、ＤＣコンバ−タ−４５等を積載して成る。
【００３６】
搬送装置１の端壁４に設けた排気口７と接続した吸気管３７に吸い込まれた汚染空気は消毒装置３５内に送り込まれ、清浄空気となって排気管３８を通って排気口３２から放気される。
【００３７】
消毒装置３５はプラスチック製のボトル３９に、例えば、次亜塩素酸等の塩素系の消毒液４１が入れられており、液はね防止のためスポンジ４０で内蓋がされている。スポンジ４０を挿通して、消毒液内に管４２が挿入されており、管４２の先端を細かい編み目を有するメッシュ状の蓋４４で覆う。管４２を通って消毒液４１内に入った汚染空気４３は細かい泡と成って完全に消毒され、排気管３８を通って、外部へ排出されるので外部環境が汚染されることはない。
【００３８】
エアポンプ３３は通常バッテリ−３４によって駆動されているが、救急車等で搬送中はバッテリ−３４に替えて外部電源である自動車電源を利用できるように切替可能である。
【００３９】
【発明の効果】
一枚のビニルシ−トと組立て式支柱及び換気ユニットから構成される本願発明品は本体部を小さく薄く折り畳め、且つ、軽量であるため保管、搬送に便利である。有事に備えて大量に保管搬送する場合に特に便利である。
【００４０】
又、本体部がビニル製のため血液等の汚染物が付着しても洗浄、乾燥が容易でメンテナンスが楽である。
【００４１】
積載量が限られている飛行機や船舶等の乗物にも常時相当数の本装置が積載可能であり、キャリ−バッグに収納すれば一般車両には勿論、持ち運びにも便利である。
【００４２】
又、構造が簡素であるため組立てが容易であり、ファスナ−を両開きにする等の工夫を施すと１０分以内に装置を完成することができる。従ってこの種の装置の最大の目的である、空気汚染を最小限にくい止めることができる。
【００４３】
本体部が透明ビニルシ−ト製であるため圧迫感がなく、内部に取り付けたネジも全て丸ネジであるため、患者が暴れても怪我をすることがなく、装置内の患者に対する環境が良好である。
【００４４】
固定ベルトを取り付けているためストレッチャ−やベッドへの固定が可能であると共に、別途提げ手を取り付けたため、ベッド部にマットレス等を載置すると本装置単体でも人力による患者搬送が可能となる。従って、ストレッチャ−等を使用できない狭小地や階段での使用も可能となり、担架に類似した高い使用性を有する。
【図面の簡単な説明】
【図１】本願装置本体部の展開図。
【図２】本願装置組立て正面図。
【図３】同、右側面図。
【図４】同、斜視図。
【図５】換気ユニット正面図。
【図６】ａ  操作口の正面図。ｂ  同、背面図。
【図７】支柱の正面図。
【符号の説明】
１、患者搬送装置    ２、ベッド部    ３、４、端壁    ５、６、２１、２２、２３、ファスナ−    ２４、取り付けベルト    ２５、提げ手    ９、天井部  １０、１１、側壁    １２、１３、１４、支柱挿入部    １５、操作口    ２６、支柱    ２７、パイプ    ３０、換気ユニット
【図１】
2005013547.tif 000003
【図２】
2005013547.tif 000004
【図３】
2005013547.tif 000005
【図４】
2005013547.tif 000006
【図５】
2005013547.tif 000007
【図６】
2005013547.tif 000008
【図７】
2005013547.tif 000009